(57)【要約】【課題】メカニカルキーが意に反して脱落するのを防止する。【解決手段】本発明の電子キー１０は、キーケース１１内のキー収納部２１に対して着脱可能に設けられるメカニカルキー４０と、メカニカルキー４０の各被係止部４４ａ，４４ｂに係脱可能に設けられる左右一対のロックレバー５１ａ，５１ｂと、キーケース１１の左右両側において操作可能に設けられる左右一対のロック解除ボタン５５ａ，５５ｂと、各ロックレバー５１ａ，５１ｂと各ロック解除ボタン５５ａ，５５ｂとにそれぞれ係合可能且つ左右にスライド可能に設けられ一対のスライド部材５２ａ，５２ｂと、各ロックレバー５１ａ，５１ｂが各被係止部４４ａ，４４ｂに係止する方向へ付勢する付勢部材と、を備えることを特徴とする。【選択図】図５
2016098505.tif 000002
【特許請求の範囲】
【請求項１】
ドアの施錠装置を遠隔操作可能な電子部品を収容するキーケースと、
該キーケース内のキー収納部に対して着脱可能に設けられ、左右両側に被係止部が形成されるメカニカルキーと、
前記キー収納部の左右外側において支軸を中心に回動可能且つ前記メカニカルキーの前記各被係止部に係脱可能に設けられる左右一対のロックレバーと、
前記キーケースの左右両側において操作可能に設けられる左右一対のロック解除ボタンと、
前記各ロックレバーと前記各ロック解除ボタンとにそれぞれ係合可能且つ左右にスライド可能に設けられる一対のスライド部材と、
前記各ロックレバーが前記各被係止部に係止する方向へ付勢する付勢部材と、
を備え、
前記メカニカルキーを前記キー収納部に装着した状態では、前記付勢部材の付勢力により前記各ロックレバーが前記メカニカルキーを左右両側から抱え込むように前記各被係止部に係止することで前記メカニカルキーの装着姿勢が保持される一方、
前記左右のロック解除ボタンを操作すると、前記各スライド部材が前記付勢部材の付勢力に抗する方向にスライドして前記各被係止部に対する前記各ロックレバーの係止状態が解除されることで前記メカニカルキーが前記キー収納部から抜脱可能となることを特徴とする電子キー。
【請求項２】
前記キーケースは扁平に形成され、
前記キー収納部は前記キーケースの底面に沿って扁平に形成され、
前記メカニカルキーは扁平形状を有し、前記キーケースの底面に沿ってスライドすることで前記キー収納部に着脱可能に設けられ、
前記各ロックレバーは扁平形状を有し、前記キー収納部の左右外側に設けられた支軸を中心に前記キーケースの底面に沿って回動することで前記メカニカルキーの前記各被係止部に係脱可能に設けられ、
前記各スライド部材は扁平形状を有し、前記各ロックレバーの上方にそれぞれ重合するように設けられ、前記各ロックレバーに沿って左右にスライド可能に設けられていることを特徴とする請求項１に記載の電子キー。
【請求項３】
前記メカニカルキーは、
前記キー収納部への装着時に前記キーケースから外側に突出するキーヘッド部と、
前記キー収納部への装着時に前記キーケース内に収納され、該キーヘッド部側の端部に前記被係止部が形成されるキーブレード部と、
を備え、
前記支軸は、前記キー収納部に装着された前記メカニカルキーの被係止部より先端側の前記キーブレード部に近接した位置に配置されていることを特徴とする請求項１又は２に記載の電子キー。
【請求項４】
前記各ロック解除ボタンは、前記キーケースの左右側面の対向する位置に設けられ、お互いに近接する方向に押圧操作することで前記各スライド部材が前記付勢部材の付勢力に抗する方向にスライドして前記各被係止部に対する前記各ロックレバーの係止状態が解除されることを特徴とする請求項１〜３のいずれかの請求項に記載の電子キー。
【請求項５】
前記各スライド部材の上方に重合するように扁平な押え部材が設けられ、該押え部材と前記キーケースの底面との間に、前記キー収容部と前記ロックレバーと前記スライド部材とが配置されていることを特徴とする請求項１〜４のいずれかの請求項に記載の電子キー。
【請求項６】
前記付勢部材は前記各スライド部材をそれぞれ左右反対方向に付勢するように設けられ、前記各スライド部材と前記押え部材には前記付勢部材を収容するための開口部が形成されていることを特徴とする請求項５に記載の電子キー。
【発明の詳細な説明】
【技術分野】
【０００１】
本発明は、ドアの施錠装置を遠隔操作して施解錠を行う施解錠制御システムにおいて使用される電子キーに関する。
【背景技術】
【０００２】
近年における情報通信技術の発達に伴い、住宅や車両等のドアに設けられる施錠装置を遠隔操作して施解錠を行う施解錠制御システムが普及してきている。この施解錠制御システムでは、電子キーが使用され、この電子キーには、ドアの施錠装置を遠隔操作可能な電子部品が備えられている他、主に緊急時用のメカニカルキーが着脱可能に備えられている。
【０００３】
従来のこの種の電子キーとしては、例えば、特許文献１に記載されているように、筐体の内部にメカニカルキーを着脱可能に保持するための保持空間を形成し、この保持空間の左右両側に帯状の弾性板を曲折して形成したロック部材を設け、ロック部材の湾曲部を保持空間内に収納されたメカニカルキーの凹部に係合することによってメカニカルキーを安定に保持しようとするものが知られている。そして、この場合、メカニカルキーが意に反して筐体から分離脱落するのを防止するため、連結部材を介してメカニカルキーを筐体に連結している（特許文献１参照）。
【先行技術文献】
【特許文献】
【０００４】
【特許文献１】特開２００３−１１３６８３号公報
【発明の概要】
【発明が解決しようとする課題】
【０００５】
しかしながら、上記した特許文献１に記載の技術では、筐体とメカニカルキーとを連結する連結部材が取り付けられているため、筐体に対してメカニカルキーの着脱作業を行う際に連結部材によってメカニカルキーの動きが拘束されて操作性が悪くなるという問題がある。また、電子キーを携帯する際に連結部材が邪魔になって携帯し難くなるという問題や、部品点数が増えて製造に手間が掛かるという問題などもある。
【０００６】
一方、このような連結部材等を取り付けずにメカニカルキーが筐体から意に反して分離脱落するのを防止するためには、ロック部材の弾性力を強めに設定する必要が生じるが、その場合には、メカニカルキーの着脱作業（特に、抜脱作業）が行い難いといった問題が生じてしまう。
【０００７】
本発明は、上記した課題を解決すべくなされたものであり、上記した連結部材のような部品を取り付けることなく、メカニカルキーの着脱作業を容易に行うことができると共に、意に反してメカニカルキーが脱落するのを防止することができる携帯性の優れた電子キーを提供することを目的とするものである。
【課題を解決するための手段】
【０００８】
本発明に係る電子キーは、ドアの施錠装置を遠隔操作可能な電子部品を収容するキーケースと、該キーケース内のキー収納部に対して着脱可能に設けられ、左右両側に被係止部が形成されるメカニカルキーと、前記キー収納部の左右外側において回動可能且つ前記メカニカルキーの前記各被係止部に係脱可能に設けられる左右一対のロックレバーと、前記キーケースの左右両側において操作可能に設けられる左右一対のロック解除ボタンと、前記各ロックレバーと前記各ロック解除ボタンとにそれぞれ係合可能且つ左右にスライド可能に設けられる一対のスライド部材と、前記各ロックレバーが前記各被係止部に係止する方向へ付勢する付勢部材と、を備え、前記メカニカルキーを前記キー収納部に装着した状態では、前記付勢部材の付勢力により前記各ロックレバーが前記メカニカルキーを左右両側から抱え込むように前記各被係止部に係止することで前記メカニカルキーの装着姿勢が保持される一方、前記左右のロック解除ボタンを操作すると、前記各スライド部材が前記付勢部材の付勢力に抗する方向にスライドして前記各被係止部に対する前記各ロックレバーの係止状態が解除されることで前記メカニカルキーが前記キー収納部から抜脱可能となることを特徴とする。
【０００９】
この構成によれば、電子キーの携帯時に、メカニカルキーが意に反してキーケースから分離脱落するおそれがなく、電子キーやメカニカルキーの紛失を防止することができる。
【００１０】
また、本発明に係る電子キーにおいて、前記キーケースは扁平に形成され、前記キー収納部は前記キーケースの底面に沿って扁平に形成され、前記メカニカルキーは扁平形状を有し、前記キーケースの底面に沿ってスライドすることで前記キー収納部に着脱可能に設けられ、前記各ロックレバーは扁平形状を有し、前記キー収納部の左右外側に設けられた支軸を中心に前記キーケースの底面に沿って回動することで前記メカニカルキーの前記各被係止部に係脱可能に設けられ、前記各スライド部材は扁平形状を有し、前記各ロックレバーの上方にそれぞれ重合するように設けられ、前記各ロックレバーに沿って左右にスライド可能に設けられているのが好ましい。
【００１１】
この構成によれば、電子キーが扁平なコンパクトな形状を有しているため、携帯性を高めることができる。
【００１２】
また、本発明に係る電子キーにおいて、前記メカニカルキーは、前記キー収納部への装着時に前記キーケースから外側に突出するキーヘッド部と、前記キー収納部への装着時に前記キーケース内に収納され、該キーヘッド部側の端部に前記被係止部が形成されるキーブレード部と、を備え、前記支軸は、前記キー収納部に装着された前記メカニカルキーの被係止部より先端側の前記キーブレード部に近接した位置に配置されているのが好ましい。
【００１３】
この構成によれば、メカニカルキーをキーケースから引き抜く方向に力が加えられたとしても、ロックレバーに対して被係止部とのロック状態を解除させる方向へ回転させるモーメントが発生しない。したがって、メカニカルキーが意に反してキーケースから分離脱落するおそれがなく、電子キーやメカニカルキーの紛失をより確実に防止することができる。
【００１４】
また、本発明に係る電子キーにおいて、前記各ロック解除ボタンは、前記キーケースの左右側面の対向する位置に設けられ、お互いに近接する方向に押圧操作することで前記各スライド部材が前記付勢部材の付勢力に抗する方向にスライドして前記各被係止部に対する前記各ロックレバーの係止状態が解除されるのが好ましい。
【００１５】
この構成によれば、ロック解除ボタンの操作を容易に行うことができ、電子キーの操作性を高めることができる。
【００１６】
また、本発明に係る電子キーにおいて、前記各スライド部材の上方に重合するように扁平な押え部材が設けられ、該押え部材と前記キーケースの底面との間に、前記キー収容部と前記ロックレバーと前記スライド部材とが配置されているのが好ましい。
【００１７】
この構成によれば、メカニカルキーの着脱操作を頻繁に行っても耐えるだけの強度を備えることができるため、電子部品の不具合等の緊急時にのみメカニカルキーの着脱操作を行う場合だけではなく、例えば、共用部のメカ錠の施解錠にメカニカルキーを使用する集合住宅等、メカニカルキーの着脱操作を頻繁に行う用途にも適用することができる。
【００１８】
また、本発明に係る電子キーにおいて、前記付勢部材は前記各スライド部材をそれぞれ左右反対方向に付勢するように設けられ、前記各スライド部材と前記押え部材には前記付勢部材を収容するための開口部が形成されているのが好ましい。
【００１９】
この構成によれば、付勢部材を効率よくキーケース内に収納することができるため、電子キーのコンパクト化を図ることができ、携帯性をさらに高めることができる。
【発明の効果】
【００２０】
本発明によれば、電子キーの携帯時に、メカニカルキーが意に反してキーケースから分離脱落するおそれがなく、電子キーやメカニカルキーの紛失を防止することができる等、種々の優れた効果を得ることができる。
【図面の簡単な説明】
【００２１】
【図１】本発明の実施の形態に係る電子キーを示す斜視図である。
【図２】本発明の実施の形態に係る電子キーを示す斜視図である。
【図３】本発明の実施の形態に係る電子キーの内部構造を示す断面図である。
【図４】本発明の実施の形態に係る電子キーの内部構造を示す斜視図である。
【図５】本発明の実施の形態に係る電子キーの内部構造を示す斜視図である。
【図６】本発明の実施の形態に係る電子キーの内部構造を示す斜視図である。
【図７】本発明の実施の形態に係る電子キーの内部構造を示す斜視図である。
【図８】本発明の実施の形態に係る電子キーにおいてメカニカルキーがロックされた状態を示す斜視図である。
【図９】本発明の実施の形態に係る電子キーにおいてメカニカルキーがロック解除された状態を示す斜視図である。
【発明を実施するための形態】
【００２２】
以下、図面を参照しつつ、本発明の実施の形態に係る電子キーについて説明する。ここで、図１は本発明の実施の形態に係る電子キーを示す斜視図、図２はメカニカルキーを分離させた状態の電子キーを示す斜視図、図３は電子キーの内部構造を示す断面図、図４はロックレバーとメカニカルキーの関係を示す斜視図、図５はキーケースにロック機構を取り付けた状態を示す斜視図、図６は図５の状態に加えて押えプレートを取り付けた状態を示す斜視図、図７は図６の状態に加えて電子部品を取り付けた状態を示す斜視図である。
【００２３】
本発明の実施の形態に係る電子キー１０は、キーケース１１内に、着脱可能なメカニカルキー４０と、メカニカルキー４０をロック又はロック解除するためのロック機構５０と、ドアの施錠装置を遠隔操作するための電子部品８０と、が設けられて構成されている。
【００２４】
キーケース１１は、扁平な略直方体形状を有しており、対向する両端面はいずれも外側に突出するように湾曲し、対向する左右両側面はいずれも直線状に形成されてお互いに平行を成している。キーケース１１は、上方に開口を有する下側のケース本体１５と、該開口を閉塞可能なようにケース本体１５に重合されるケース蓋１６と、により構成されている。
【００２５】
ケース本体１５は、平面状の底面１７と、底面１７の周縁部に立設される周壁１８と、を備えている。周壁１８の一端面には、底面１７に沿って扁平な矩形状のキー挿入孔１９が形成されている。また、周壁１８の左右両側面には、一端面側の対向する位置にそれぞれ扁平な矩形状の操作孔が形成され、操作孔の外周部に傾斜面２０が形成されている。
【００２６】
ケース本体１５の内部には、キー挿入孔１９に連通するようにキー収納部２１が底面１７に沿って扁平に形成されている。キー収納部２１は、キー挿入孔１９から周壁１８の他端面側に向かってほぼ直線状に形成されている。ケース本体１５の一端部には、キー収納部２１の上方を覆うように上板部２２が平坦に形成されている。この上板部２２の一端側には左右にネジ穴２３が形成され、上板部２２の他端側中央には位置決め突起２４が突設されている。また、上板部２２の左右両側には、それぞれ切欠部２５ａ，２５ｂが形成されている。
【００２７】
ケース本体１５の底面１７には、互いに対向する位置に左右一対の仕切壁２６ａ，２６ｂが突設されており、仕切壁２６ａ，２６ｂは上板部２２から周壁１８の他端面側に向かって延出している。左右の仕切壁２６ａ，２６ｂの一端部はそれぞれ左右外側に屈曲しており、これによりキー収納部２１の一端部にストッパ部２８が形成されている。
【００２８】
左右の仕切壁２６ａ，２６ｂは、ストッパ部２８より他端部側のそれぞれ対向する位置において分断され、該分断位置の底面１７に円柱形状の支軸２９ａ，２９ｂがそれぞれ突設されている。各支軸２９ａ，２９ｂは、キー収納部２１に近接して配置され、仕切壁２６より高く形成されている。支軸２９ａ，２９ｂより他端側の仕切壁２６ａ，２６ｂの外側には、円筒形状のボス部３０ａ，３０ｂがそれぞれ底面１７に突設され、ボス部３０ａ，３０ｂは仕切壁２６ａ，２６ｂと同一高さに形成されている。
【００２９】
ケース本体１５の内部の両端部には、固定部３１がそれぞれ左右一対で底面１７に突設されている。各固定部３１は周壁１８と同一高さの円筒形状に形成され、その中央の穴は底面１７を貫通している。また、固定部３１の外周下部には円筒状の段差面３２が形成されている。
【００３０】
ケース蓋１６は、僅かに上方に湾曲した形状を有する上面３３と、ケース本体１５の周壁１８に対応するように上面３３の周縁部から垂下される周壁３４と、を備えている。ケース蓋１６の内部には、ケース本体１５の各固定部３１に対応する位置にそれぞれ円筒形状のボス部３５が形成されている。これにより、ケース本体１５にケース蓋１６を重合させて下方から各固定部３１にネジ（図示せず）を螺入することで、ケース本体１５とケース蓋１６とが固定されてキーケース１１が形成されるようになっている。
【００３１】
メカニカルキー４０は、主に電子部品８０の不具合等の緊急時にドアの施錠装置を施解錠するためのものであり、扁平な板状を有し、キー挿入孔１９を介してキーケース１１の底面１７に沿ってスライドすることでキー収納部２１に着脱可能に設けられている。メカニカルキー４０は、キー収納部２１への装着時にキーケース１１から外側に突出するキーヘッド部４１と、キー収納部２１への装着時にキーケース１１内に収納されるキーブレード部４２と、を備えて構成されている。キーヘッド部４１は、略矩形状に形成され、その中央には、指を掛けたり、キーホルダーを取り付けたりするためのヘッド穴４３が設けられている。キーブレード部４２は、キーヘッド部４１から先端方向に延出する長尺板状に形成され、キーヘッド部４１側の端部の左右両側にそれぞれ被係止部４４ａ，４４ｂが切り欠かれて形成されている。被係止部４４ａ，４４ｂは、メカニカルキー４０のキー収納部２１への装着時に、上板部２２の切欠部２５ａ，２５ｂに配置されるように形成されている。
【００３２】
ロック機構５０は、キーケース本体１５の底面１７上においてキー収納部２１の左右外側にそれぞれ配設されるロックレバー５１ａ，５１ｂと、左右のロックレバー５１ａ，５１ｂ及びキー収容部２１上において互いに上下に重合するように配設される一対のスライド部材５２ａ，５２ｂと、ケース本体１５の上板部２２とスライド部材５２ａ，５２ｂとキー収納部２１の上方を覆うように設けられる押え部材５３と、スライド部材５２ａ，５２ｂを所定方向に付勢する付勢部材５４と、ケース本体１５の左右の操作孔２０ａ，２０ｂに嵌設されて内外にスライド可能に設けられる左右一対のロック解除ボタン５５ａ，５５ｂと、を備えて構成されている。
【００３３】
ロックレバー５１ａ，５１ｂは、お互いにキー収納部２１を挟んで左右対称な扁平形状を有している。各ロックレバー５１ａ，５１ｂは、一端部において切欠部２５ａ，２５ｂに係合可能なように互いに近接する方向に鉤状に形成される係止部５６ａ，５６ｂと、係止部５６ａ，５６ｂに近接した位置に突設される円柱形状の係合突起部５７ａ，５７ｂと、他端部において支軸２９ａ，２９ｂに係合可能なように略円形状に形成される切欠き凹部５８ａ，５８ｂと、を備えている。これにより、各ロックレバー５１ａ，５１ｂは、支軸２９ａ，２９ｂを中心にキーケース１１の底面１７に沿って左右に回動することで、キー収納部２１に装着されたメカニカルキー４０を左右両側から抱え込むように係止部５６ａ，５６ｂが被係止部４４ａ，４４ｂに係脱可能となっている。
【００３４】
係合突起部５７ａ，５７ｂの外周下部には段差面５９ａ，５９ｂが形成され、切欠き凹部５８ａ，５８ｂの外周には隆起面６０ａ，６０ｂが形成され、段差面５９ａ，５９ｂと隆起面６０ａ，６０ｂはそれぞれ同一高さに形成されている。
【００３５】
スライド部材５２ａ，５２ｂは、お互いに左右対称な扁平形状を有している。スライド部材５２ａ，５２ｂのうちの下側のスライド部材５２ａは、ロックレバー５１ａ，５１ｂの段差面５９ａ，５９ｂ及び隆起面６０ａ，６０ｂ上に載置されている。
【００３６】
各スライド部材５２ａ，５２ｂは、互いに重合される平板部６１ａ，６１ｂと、平板部６１ａ，６１ｂの左右いずれか一方の縁部から互いに対向するように上方に直角に屈曲される鉛直板部６２ａ，６２ｂと、を備えている。平板部６１ａ，６１ｂは、ロックレバー５１ａ，５１ｂの係合突起部５７ａ，５７ｂが遊嵌可能なように形成される係合穴部６３ａ，６３ｂと、支軸２９ａ，２９ｂに沿って左右にスライド可能なように横長に形成される案内穴部６４ａ，６４ｂと、ほぼ中央において左右方向に細長に形成されるバネ収容開口部６５ａ，６５ｂと、を備えている。
【００３７】
押え部材５３は、左右対称な扁平なプレート状を有している。押え部材５３は、上板部２２とスライド部材５２ａ，５２ｂの上方を覆う上段部分６６と、キー収納部２１の上方を覆う下段部分６７と、を備えている。上段部分６６は上板部２２に支持され、上段部分６６と上側のスライド部材（本実施の形態では、左側のスライド部材５２ｂ）との間には僅かな隙間が形成されている。上段部分６６には、上板部２２の左右のネジ穴２３に対応する位置に通孔が形成されていると共に、上板部２２の位置決め突起２４に対応する位置に位置決め穴が形成されている。また、上段部分６６には、スライド部材５２ａ，５２ｂのバネ収容開口部６５ａ，６５ｂに対応する位置にバネ逃げ穴部７０が形成され、バネ逃げ穴部７０の外周部分７１は一段高く形成されている。さらに、上段部分６６には支軸２９ａ，２９ｂに対応する位置に嵌合穴部７２ａ，７２ｂがそれぞれ形成されている。
【００３８】
下段部分６７は、上段部分６６より一段低く形成され、仕切壁２６とボス部３０に支持されている。下段部分６７には、ボス部３０に対応する位置に通孔が形成されている。これにより、上段部分６６の位置決め穴６８に位置決め突起２４を嵌合すると共に嵌合穴部７２ａ，７２ｂに支軸２９ａ，２９ｂを嵌合し、上段部分６６の通孔及び下段部分６７の通孔を介してネジ７４をネジ穴２３及びボス部３０に螺入することで、押え部材５３を所定位置に確実に固定し、ロック機構５０を補強することができる。
【００３９】
付勢部材５４は、引張りコイルバネであり、各スライド部材５２ａ，５２ｂの開口部６５ａ，６５ｂに配設され、一端が一方のスライド部材５２ａに係止され、他端が他方のスライド部材５２ｂに係止されている。これにより、付勢部材５４は、各スライド部材５２ａ，５２ｂをそれぞれ左右外方に付勢するように作用する。なお、付勢部材５４の取り付け位置や数は、上記した例に限定されるものではない。すなわち、付勢部材５４は、ロックレバー５１ａ，５１ｂの係止部５６ａ，５６ｂがメカニカルキー４０の被係止部４４ａ，４４ｂに係止する方向に付勢するように設けられていれば、例えば、各ロックレバー５１ａ，５１ｂと支軸２９ａ，２９ｂとの間に設ける等、他の位置に取り付けることもできるし、複数個所に取り付けることもできる。
【００４０】
各ロック解除ボタン５５ａ，５５ｂは、ケース本体１５の外側に露出する押圧部７５ａ，７５ｂと、ケース本体１５の内側でスライド部材５２ａ，５２ｂの鉛直板部６２ａ，６２ｂに対向するように配設される当接部７６ａ，７６ｂと、を備えて構成されている。
【００４１】
電子部品８０は、ロック機構５０の押え部材５３の上方に配置される基板８１上に、タグユニット８２が設けられて構成されている。また、基板８１上には、タグユニット８２に隣接してボタン電池８３が着脱可能に取り付けられている。
【００４２】
次に、本発明の実施の形態に係る電子キー１０のロック機構５０の作用について説明する。
【００４３】
図８はメカニカルキー４０がロック機構５０によりロックされた状態を示す斜視図であり、このロック状態では、付勢部材５４によって、各スライド部材５２ａ，５２ｂがそれぞれ左右反対方向に付勢されることで、ロックレバー５１ａ，５１ｂに対して係合穴部６３ａ，６３ｂ及び係合突起部５７ａ，５７ｂを介して互いに近接する方向に回転する力が加えられる。これにより、係止部５６ａ，５６ｂはキー収納部２１に装着されたメカニカルキー４０の被係止部４４ａ，４４ｂを左右両側から抱え込むように係止し、この係止状態は付勢部材５４の付勢力によって保持される。この時、スライド部材５２ａ，５２ｂの鉛直板部６２ａ，６２ｂは各ロック解除ボタン５５ａ，５５ｂの当接部７６ａ，７６ｂに当接し、各ロック解除ボタン５５ａ，５５ｂの押圧部７５ａ，７５ｂは周壁１８の左右両側面とほぼ同一面を形成する。
【００４４】
上記したロック状態において、図９に示すように、左右のロック解除ボタン５５ａ，５５ｂをお互いに近接する方向に押圧操作すると、各スライド部材５２ａ，５２ｂはそれぞれ付勢部材５４の付勢力に抗して上記した方向とは反対側の左右方向にスライドし、ロックレバー５１ａ，５１ｂに対して係合穴部６３ａ，６３ｂ及び係合突起部５７ａ，５７ｂを介して互いに離間する方向に回転する力が加えられる。これにより、係止部５６ａ，５６ｂと被係止部４４ａ，４４ｂとの係止状態が解除されるため、キーヘッド部４１を把持してメカニカルキー４０を外側に引っ張ることでメカニカルキー４０をキーケース１１からの抜脱することができる。
【００４５】
上記した本発明の実施の形態に係る電子キー１０によれば、メカニカルキー４０をキー挿入孔１９からキーケース１１内に挿入操作するだけで、ロック機構５０によりメカニカルキー４０をキー収納部２１に確実にロックさせることができる。一方、左右のロック解除ボタン５５ａ，５５ｂをお互いに近接する方向に押圧操作することで、メカニカルキー４０のロック状態を解除させ、メカニカルキー４０をキーケース１１から抜脱することができる。すなわち、左右のロック解除ボタン５５ａ，５５ｂをお互いに近接する方向に押圧操作しないと、メカニカルキー４０を抜脱することができないため、電子キー１０の携帯時に、メカニカルキー４０が意に反してキーケース１１から分離脱落するおそれがなく、電子キー１０やメカニカルキー４０の紛失を防止することができる。また、付勢部材の付勢力を例え強めに設定したとしても、メカニカルキーの着脱作業（特に、抜脱作業）を容易に行うことができる。さらに、電子キー４０が扁平なコンパクトな形状を有しているため、携帯性を高めることができる。
【００４６】
また、左右のロックレバー５１ａ，５１ｂの回動中心である支軸２９ａ，２９ｂが、キー収納部２１に装着されたメカニカルキー４０の被係止部４４ａ，４４ｂより先端側のキーブレード部４２に近接した位置に配置されているため、メカニカルキー４０をキーケース１１から引き抜く方向に力が加えられたとしても、ロックレバー５１ａ，５１ｂに対して被係止部４４ａ，４４ｂとのロック状態を解除させる方向へ回転させるモーメントが発生しない。したがって、メカニカルキー４０が意に反してキーケース１１から分離脱落するおそれがなく、電子キーやメカニカルキーの紛失をより確実に防止することができる。
【００４７】
さらに、左右のロック解除ボタン５５ａ，５５ｂは、キーケース１１の左右側面の対向する位置に設けられ、お互いに近接する方向に押圧操作することで各被係止部４４ａ，４４ｂに対する各ロックレバー５１ａ，５１ｂの係止状態が解除されるように構成されており、ロック解除ボタン５５ａ，５５ｂを容易に操作することができるため、電子キー１０の操作性を高めることができる。
【００４８】
さらに、ロック機構５０に押え部材５３が設けられているため、電子キー１０はメカニカルキー４０の着脱操作を頻繁に行っても耐えるだけの強度を備えることができる。したがって、電子部品８０の不具合等の緊急時にのみメカニカルキー４０の着脱操作を行う場合だけではなく、例えば、共用部のメカ錠の施解錠にメカニカルキー４０を使用する集合住宅等、メカニカルキー４０の着脱操作を頻繁に行う用途にも、本実施の形態に係る電子キー１０を適用することができる。
【００４９】
さらに、各スライド部材５２ａ，５２ｂと押え部材５３には、それぞれ、付勢部材５４を収容するためのバネ収容開口部６５ａ，６５ｂとバネ逃げ穴部７０が形成されており、付勢部材５４を効率よくキーケース１１内に収納することができるため、電子キー１０のコンパクト化を図り、携帯性をさらに高めることができる。
【００５０】
なお、上記した本発明の各実施の形態の説明は、本発明に係る電子キーにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５１】
１０    電子キー
１１    キーケース
１７    底面
２１    キー収納部
２９ａ，２９ｂ  支軸
４０    メカニカルキー
４１    キーヘッド部
４２    キーブレード部
４４ａ，４４ｂ  被係止部
５１ａ，５１ｂ  ロックレバー
５２ａ，５２ｂ  スライド部材
５３    押え部材
５４    付勢部材
５５ａ，５５ｂ  ロック解除ボタン
６５ａ，６５ｂ  バネ収容開口部（開口部）
７０    バネ逃げ穴部（開口部）
８０    電子部品
【図１】
2016098505.tif 000003
【図２】
2016098505.tif 000004
【図３】
2016098505.tif 000005
【図４】
2016098505.tif 000006
【図５】
2016098505.tif 000007
【図６】
2016098505.tif 000008
【図７】
2016098505.tif 000009
【図８】
2016098505.tif 000010
【図９】
2016098505.tif 000011